(57)【要約】本発明は、電子装置、および表示部に関するかかる電子装置の機能を制御する方法に関する。電子装置は、基部（３）と、表示部（２）と、方向感知構成と、方向判定部とを備える。表示部（２）は、第１境界側面および反対の第２境界側面（７、８）によって互いに接合する第１表面領域（５）と第２表面領域（１３）とを有し、基部（３）に対して留められており、基部（３）に対して可動である。方向感知構成は、表示部（２）に第１感知部（１５）と、基部（３）に第２感知部（１６）とを備え、感知部が互いに通信可能であることを検出し、この通信を指示する。そして、方向判定部は、方向感知構成からの指示に基づいて電子装置（１）の選択した機能を起動する。【選択図】図５
2011503933.tif 000002
【特許請求の範囲】
【請求項１】
電子装置（１）であって、
基部（３）と、
第１境界側面および反対の第２境界側面（７、８）によって互いに接合する第１表面領域（５）と第２表面領域（１３）とを備え、前記基部（３）に対して留められており、前記基部（３）に対して可動な表示部（２）と、
前記表示部（２）に設けられた第１感知部（１５、１５’、１５’’）と、前記基部（３）に設けられた第２感知部（１６、１６’）とを備え、前記感知部が互いに通信可能であることを検出し、この通信を指示する方向感知構成（１７）と、
前記方向感知構成（１７）から受け取った指示に基づいて前記電子装置（１）の選択した機能（１９）を起動する方向判定部（１８）と
を備える電子装置（１）。
【請求項２】
前記第１感知部（１５、１５’、１５’’）は、少なくとも部分的に前記第２表面領域（１３）に設けられ、前記感知部のうち１つは延伸した感知部であり、他の前記感知部はスポット感知部である、請求項１に記載の電子装置（１）。
【請求項３】
前記第１感知部（１５、１５’、１５’’）は、部分的に前記第１境界側面（７）の一部に設けられる、請求項２に記載の電子装置（１）。
【請求項４】
前記第１感知部（１５）は、前記第１境界側面の前記第１表面領域と前記第２表面領域との間の中央線の前の位置までのびている、請求項３に記載の電子装置（１）。
【請求項５】
前記第１感知部（１５）は、前記第１境界側面の前記第１表面領域と前記第２表面領域との間の中央線を超えてのびている、請求項３に記載の電子装置（１）。
【請求項６】
少なくとも前記第１の境界面は湾曲している、請求項２〜５のいずれか１項に記載の電子装置（１）。
【請求項７】
前記第１感知部は延伸した感知部である、請求項２〜６に記載の電子装置（１）。
【請求項８】
前記第２表面領域に設けられた前記第１感知部の一部が、前記第１境界側面から前記第２境界側面へ向かってのびている、請求項７に記載の電子装置（１）。
【請求項９】
前記第２表面領域に設けられた前記第１感知部の一部が、前記第２境界側面までのびている、請求項８に記載の電子装置（１）。
【請求項１０】
前記第１感知部は、前記第２境界側面の少なくとも一部にも設けられる、請求項９に記載の電子装置（１）。
【請求項１１】
前記第２表面領域に設けられた前記第１感知部の一部と前記第２境界側面との間に隔たりがある、請求項８に記載の電子装置（１）。
【請求項１２】
前記感知構成は、さらに、延伸方向における前記第１感知部の位置を検出して指示するものであり、前記第１感知部と前記第２感知部との間の通信に用いられ、前記方向判定部は、さらに、前記位置にも基づいて、前記表示部に関する前記電子装置（１）の選択した機能を起動する、請求項２〜１１のいずれか１項に記載の電子装置（１）。
【請求項１３】
前記表示部（２）は、前記第１表面領域（５）に第１ディスプレイ（６）と、前記第２表面領域（１３）に第２ディスプレイ（１４）とを備える、請求項１〜１２のいずれか１項に記載の電子装置（１）。
【請求項１４】
前記方向判定部（１８）は、前記第１感知部と前記第２感知部とが互いに通信可能であるという指示を前記方向感知構成から受け取ったら、前記第１ディスプレイに関連した機能を起動し、そうでない場合は、前記第２ディスプレイに関連した機能を起動する、請求項１３に記載の電子装置（１）。
【請求項１５】
前記方向判定部（１８）は、前記第１感知部と前記第２感知部とが互いに通信可能であるという指示を受け取ると、前記第２ディスプレイに関連した機能を停止し、そうでない場合は、前記第１ディスプレイに関連した機能を停止する、請求項１４に記載の電子装置（１）。
【請求項１６】
前記方向感知構成における前記感知部のうち少なくとも１つは部分的に導電性であり、前記構成は、前記感知部が互いに通信可能であることを検出すると、前記感知部間の関係における抵抗の変化、静電容量の変化、またはインダクタンスの変化を感知することによって、前記通信を検出する、請求項１〜１５のいずれか１項に記載の電子装置（１）。
【請求項１７】
方向感知構成における前記感知部のうち少なくとも１つは周辺と異なる屈折率を有し、他は光学検出器であり、前記構成は、前記光学検出器で屈折率の変化を検出することで、前記感知部が互いに通信可能であることを検出する、請求項１〜１５のいずれか１項に記載の電子装置（１）。
【請求項１８】
前記方向感知構成における前記感知部の少なくとも１つは部分的に磁気的であり、前記構成は、前記感知部が互いに通信可能であることを検出すると、前記感知部の１つによって生じる磁束変化を検出する、請求項１〜１５のいずれか１項に記載の電子装置（１）。
【請求項１９】
前記電子装置は携帯用電子装置である、請求項１〜１８のいずれか１項に記載の電子装置（１）。
【請求項２０】
前記携帯用電子装置は携帯用通信装置である、請求項１９に記載の電子装置（１）。
【請求項２１】
表示部（２）に関する電子装置（１）の機能を制御する方法であって、前記表示部（２）は、第１境界側面および反対の第２境界側面（７、８）によって互いに接合する第１表面領域（５）と第２表面領域（１３）とを備え、前記電子装置の基部（３）に対して留められており、前記基部（３）に対して可動であって、
前記表示部（２）に設けられた第１感知部（１５、１５’、１５’’）と前記基部（３）に設けられた第２感知部（１６、１６’）とが互いに通信可能であることを検出するステップ（２２）と、
前記通信に対する指示を提供するステップ（２３）と、
前記指示に基づいて前記電子装置（１）の選択した機能（１９）を起動するステップ（２４）と
を含む方法。
【請求項２２】
前記第１感知部（１５、１５’、１５’’）は少なくとも部分的に前記第２表面領域（１３）に設けられ、前記感知部のうち１つは延伸した感知部であり、他方の感知部はスポット感知部であり、前記検出するステップは、前記第１感知部と前記第２感知部との間の通信に用いられる前記延伸した感知部の位置を検出することを含み、前記指示のステップは前記位置を指示することも含み、前記起動するステップは、前記位置にも基づいて前記電子装置（１）の選択した機能を起動することを含む、請求項２１に記載の方法。
【請求項２３】
前記第１表面領域（５）は第１ディスプレイ（６）を備え、前記第２表面領域（１３）は第２ディスプレイ（１４）を備え、前記起動するステップは、前記感知部が互いに通信可能である場合、前記第１ディスプレイに関連した機能を起動（２４）し、そうでない場合、前記第２ディスプレイに関連した機能を起動（２６）することを含む、請求項２１または２２に記載の方法。
【請求項２４】
前記感知部が互いに通信可能である場合、前記第２ディスプレイに関連した機能を停止（２５）し、そうでない場合、前記第１ディスプレイに関連した機能を停止（２７）するステップをさらに含む、請求項２３に記載の方法。
【発明の詳細な説明】
【技術分野】
【０００１】
本発明は、基部に対して可動である表示部を有する電子装置に関する。より具体的には、本発明は、電子装置と、表示部に対する電子装置の機能を制御する方法とに関する。
【背景技術】
【０００２】
広くは電子装置、具体的には、携帯情報端末（ＰＤＡ：ｐｅｒｓｏｎａｌ  ｄｉｇｉｔａｌ  ａｓｓｉｓｔａｎｔ）やラップトップコンピュータなどの携帯用電子装置、携帯電話などの通信装置は、ますます高性能で複雑なものとなっている。より多くの機能が装置に搭載されるため、情報の表示およびデータ受信の両方について、装置はユーザとのやり取りに対してより柔軟なものとなる必要がある。携帯用電子装置は通常他の消費者電子製品よりも小さなものであり、かかる必要性は携帯用電子装置において特に明白となる。より能率的なキーボード、ユーザとのやり取りの手段、接続が携帯用電子装置に追加され、有用性を拡張している。同様に、より能率的な情報表示方法も携帯用電子装置に追加される。上記必要性は、携帯用電子装置に搭載された表示部において特に明白となる。携帯用電子装置における課題の１つが、エネルギー消費を最小限に保持しつつ携帯用電子装置のバルキネスを増加させずに、表示領域を拡大することである。
【０００３】
スペースを節約し、携帯用電子装置をよりコンパクトにするため、時には表示部を、「クラムシェル（ｃｌａｍｓｈｅｌｌ：２枚貝）」型携帯電話のように、折りたたみ可能なものとする。電力消費を最小限に抑えるためには、ディスプレイは、「クラムシェル」型携帯電話を広げたときだけ起動する。電力消費を最小限に抑えるのは、携帯用電子装置において特に重要である。
【０００４】
このような電子装置において、ディスプレイは、基部に付されており基部に対して可動である表示部として見られる。しかしながら、かかるクラムシェル電話や、１つの表示部が基部に対して可動である他の装置について重要なのは、電子装置の柔軟性を増大させることであろう。
【発明の概要】
【発明が解決しようとする課題】
【０００５】
したがって、本発明は、基部に付された表示部を有するコンパクトな電子装置をより柔軟なものにするという課題を解決しようとするものである。これについては、基部に対する表示部の向きに基づいて電子装置の選択した機能を起動することで行う。
【０００６】
このように、本発明のある目的は、装置バルキネスを最小限に保持しつつユーザ‐装置間のやり取りの柔軟性を増大させた電子装置の提供を図ることである。
【課題を解決するための手段】
【０００７】
したがって、本発明の第１の観点は、
基部と、
第１境界側面および反対の第２境界側面によって互いに接合する第１表面領域と第２表面領域とを備え、基部に対して留められており、基部に対して可動な表示部と、
表示部に設けられた第１感知部と、基部に設けられた第２感知部とを備え、感知部が互いに通信可能であることを検出し、この通信を指示する方向感知構成と、
方向感知構成から受け取った指示に基づいて電子装置の選択した機能を起動する方向判定部と
を備える電子装置に対するものである。
【０００８】
本発明の第２の観点は第１の観点の特徴を含み、第１感知部は、少なくとも部分的に第２表面領域に設けられ、感知部のうち１つは延伸した感知部であり、他の感知部はスポット感知部である。
【０００９】
本発明の第３の観点は第２の観点の特徴を含み、第１感知部は、部分的に第１境界側面の一部に設けられる。
【００１０】
本発明の第４の観点は第３の観点の特徴を含み、第１感知部は、第１境界側面の第１表面領域と第２表面領域との間の中央線の前の位置までのびている。
【００１１】
本発明の第５の観点は第３の観点の特徴を含み、第１感知部は、第１境界側面の第１表面領域と第２表面領域との間の中央線を超えてのびている。
【００１２】
本発明の第６の観点は第２の観点の特徴を含み、少なくとも第１の境界面は湾曲している。
【００１３】
本発明の第７の観点は第２の観点の特徴を含み、第１感知部が延伸した感知部である。
【００１４】
本発明の第８の観点は第７の観点の特徴を含み、第２表面領域に設けられた第１感知部の一部が、第１境界側面から第２境界側面へ向かってのびている。
【００１５】
本発明の第９の観点は第８の観点の特徴を含み、第２表面領域に設けられた第１感知部の一部が、第２境界側面までのびている。
【００１６】
本発明の第１０の観点は第９の観点の特徴を含み、第１感知部は、第２境界側面の少なくとも一部にも設けられる。
【００１７】
本発明の第１１の観点は第８の観点の特徴を含み、第２表面領域に設けられた第１感知部の一部と第２境界側面との間に隔たりがある。
【００１８】
本発明の第１２の観点は第２の観点の特徴を含み、感知構成は、さらに、延伸方向における前記第１感知部の位置を検出して指示し、第１感知部と第２感知部との間の通信に用いられ、方向判定部は、さらに、位置にも基づいて、表示部に関する電子装置の選択した機能を起動する。
【００１９】
本発明の第１３の観点は第１の観点の特徴を含み、表示部は、第１表面領域に第１ディスプレイと、第２表面領域に第２ディスプレイとを備える。
【００２０】
本発明の第１４の観点は第１３の観点の特徴を含み、方向判定部は、第１感知部と第２感知部とが互いに通信可能であるという指示を方向感知構成から受け取ったら、第１ディスプレイに関連した機能を起動し、そうでない場合は、第２ディスプレイに関連した機能を起動する。
【００２１】
本発明の第１５の観点は第１４の観点の特徴を含み、方向判定部は、第１感知部と第２感知部とが互いに通信できるという指示を受け取ると、第２ディスプレイに関連した機能を停止し、そうでない場合は、第１ディスプレイに関連した機能を停止する。
【００２２】
本発明の第１６の観点は第１の観点の特徴を含み、方向感知構成における感知部のうち少なくとも１つは部分的に導電性であり、上記構成は、感知部が互いに通信可能であることを検出すると、感知部間の関係における抵抗の変化、静電容量の変化、またはインダクタンスの変化を感知することによって、前記通信を検出する。
【００２３】
本発明の第１７の観点は第１の観点の特徴を含み、方向感知構成における感知部のうち少なくとも１つは周辺と異なる屈折率を有し、他は光学検出器であり、上記構成は、光学検出器で屈折率の変化を検出することで、感知部が互いに通信可能であることを検出する。
【００２４】
本発明の第１８の観点は第１の観点の特徴を含み、方向感知構成における感知部の少なくとも１つは部分的に磁気的であり、上記構成は、感知部が互いに通信可能であることを検出すると、前記感知部の１つによって生じる磁束変化を検出する。
【００２５】
本発明の第１９の観点は第１の観点の特徴を含み、電子装置は携帯用電子装置である。
【００２６】
本発明の第２０の観点は第１９の観点の特徴を含み、携帯用電子装置は携帯用通信装置である。
【００２７】
本発明の第２１の観点は、表示部に関する電子装置の機能を制御する方法であって、表示部は、第１境界側面および反対の第２境界側面によって互いに接合する第１表面領域と第２表面領域とを備え、電子装置の基部に対して留められており、基部に対して可動であって、
表示部に設けられた第１感知部と基部に設けられた第２感知部とが互いに通信可能であることを検出するステップと、
上記通信に対する指示を提供するステップと、
上記指示に基づいて電子装置の選択した機能を起動するステップと
を含む方法に対するものである。
【００２８】
本発明の第２２の観点は第２１の観点の特徴を含み、第１感知部は少なくとも部分的に第２表面領域に設けられ、感知部のうち１つは延伸した感知部であり、他の感知部はスポット感知部であり、検出するステップは、第１感知部と第２感知部との間の通信に用いられる延伸した感知部の位置を検出することを含み、指示のステップは、位置を指示することも含み、起動するステップは、上記位置にも基づいて電子装置の選択した機能を起動することを含む。
【００２９】
本発明の第２３の観点は第２１の観点の特徴を含み、第１表面領域は第１ディスプレイを備え、第２表面領域は第２ディスプレイを備え、起動するステップは、感知部が互いに通信可能である場合、第１ディスプレイに関連した機能を起動し、そうでない場合、第２ディスプレイに関連した機能を起動することを含む。
【００３０】
本発明の第２４の観点は第２３の観点の特徴を含み、感知部が互いに通信可能である場合、第２ディスプレイに関連した機能を停止し、そうでない場合、第１ディスプレイに関連した機能を停止するステップをさらに含む。
【００３１】
本発明は多くの効果を有する。本発明は、とりわけエネルギーを節約しつつも、依然として装置の使用の自由をユーザに与えるため、電子装置に関連した機能の使用を制御する。また、かかる制御は、基部に対する表示部の向きの選択以外にユーザが何もせずとも行われる。また、本発明は、有用性を犠牲にせずに電子装置のコンパクトな設計を可能とする。
【図面の簡単な説明】
【００３２】
本発明のより良い理解のため、また、本発明をいかにして実施するかをより明確に示すため、ここでは以下の図面を参照することとするが、単に例示を目的としている。
【００３３】
【図１】図１は、基部と表示部とを含んだ、本発明の第１の実施形態に係る電子装置の透視図を示す。
【図２】図２は、図１の電子装置における表示部の正面図を概略的に示す。
【図３】図３は、基部に対する表示部の動きを可能にする構成を示すため、表示部の側面図を示す。
【図４】図４は、基部に対する表示部の動きを可能にする構成を示すため、基部の正面図を示す。
【図５】図５は、表示部を別の向きとして、本発明の第１の実施形態に係る電子装置の透視図を示す。
【図６】図６は、表示部の向きに関して機能的に制御する本発明の電子装置における様々な部および構成のブロック図を示す。
【図７】図７は、本発明の電子装置で行われる多くの方法ステップのフローチャートを示す。
【図８】図８ａ〜ｅは、本発明の第１の実施形態に係る電子装置における表示部の基部に対する動かし方のいくつかの例の側面図を概略的に示す。
【図９】図９は、表示部の向きを図５の向きと同様にして、本発明の第２の実施形態に係る電子装置の透視図を示す。
【図１０】図１０は、表示部の向きを図５の向きと同様にして、本発明の第３の実施形態に係る電子装置の透視図を示す。
【発明を実施するための形態】
【００３４】
本発明は、基部３に対して可動な表示部を備えた電子装置に関する。
【００３５】
図１は、本発明に係る電子装置１の透視図を示している。電子装置１は基部３を備えており、基部３には、ここではキーボードやキーパッドの形態でユーザ入力部が設けられている。キーボードが設けられた基部３の表面を、ここでは対面部４と名付ける。この基部３に、表示部２が取り付けられている。表示部２は、基部３に固定してあり、基部３に対して可動である。より具体的にいえば、表示部２は基部３の対面部４に対して可動である。表示部２は第１表面領域５を有しており、ここに第１ディスプレイ６が設けられている。さらに、第１表面領域の反対には第２表面領域がある。第２表面領域もディスプレイを備えており、これが第２ディスプレイである。この第２表面領域は第１表示領域５の反対側に設けられているため、図１では見えない。表示部２は基部３に対して可動である。つまり、表示部２の様々な動きは、この対面部４に対して行うものであるということである。また、図１は、表示部２が「ラップトップモード」の位置にある電子装置１を示している。つまり、表示部２は基部３に対して９０度から１３５度の間の角度で設けるということであり、ここでは第１表面領域５を対面部４に対してかかる角度で設けている。「ラップトップモード」では、ユーザが対面部４のキーボードを用いてデータを入力する際に第１ディスプレイ６を見ることができる。本発明に係る装置１には、第１感知部が設けられているが、ここでは第２表面領域に設けてあるため、同様に図１では見えない。また、第２感知部１６も設けられている。第２感知部１６は、表示部２が基部３に接している位置に設けられている。例えば、対面部４の角に設けられている。感知部については、後ほどさらに詳細に説明することにする。
【００３６】
図２は、表示部２、および第１ディスプレイ６を有したその第１表面領域５の正面図を示している。この第１表面領域５は、第１境界側面７、第２境界側面８、第３境界側面９、第４境界側面１０をその境界としている。ここでは、第１境界側面７と第２境界側面８とが互いに平行であり、第３境界側面９と第４境界側面１０とが互いに平行であって第１境界側面７および第２境界側面８と直角をなす。
【００３７】
上述のように、表示部は基部に対して様々に動かすことができる。かかる動きを与えることができる機械構造の一例を図３および図４に関連して説明することにする。図３は第４境界側面１０から見た表示部２の側面図を示しており、図４は基部３の正面図を示している。
【００３８】
図３からわかるように、表示部は、第４境界側面において、第１境界側面から第２境界側面までの間にかけてスロット１１を備える。また、第３境界側面もこのようなスロットを備える。表示部２を基部３に留めるために、対面部４の両側に１つずつ、２つのタップを基部３に設けてある。これらタップ１２は、表示部２の第３境界側面および第４境界側面に設けられたスロットと合わさる。このことを、図４において点線ボックスで表示部２を示すことで表している。タップ１２は、基部３の反対側の角にも設けられていることが好ましい。したがって、図１の第２感知部が設けられた角の隣に片方のタップ１２が設けられ、反対側の角に他方のタップ１２が設けられる。また、タップ１２は、対面部４の遠く上方にも設けられる。かかる遠くの位置は、第１境界側面と第２境界側面とが基部３の対面部４に面している場合、タップが定める軸周りをこれらの境界側面が回転可能なだけ遠いことが好ましい。このようにタップおよびスロットを設けることで、基部に対する表示部の回転運動および並進運動を与えることが可能となる。
【００３９】
上述のように、上述の機械的解決手段は、表示部の動きを基部に対して与えることが可能な単なる１つのやり方である。他のやり方も可能である。例えば、ちょうつがいの解決手段やかすがいの解決手段でも可能である。また、例えば磁気かすがいなど、より高度な固定手段を設けることも可能である。電子装置のユーザによって、または、電気モータなど、電子装置１における自動手段を用いて、表示部を回転させたり並進させたりすることができる。
【００４０】
図５は、図１の視点と同様の視点で、本発明の第１の実施形態に係る電子装置を概略的に示す。ここでの相違点は、上述のタップがなす回転軸の回りを表示部２が半回転したため、今度は第２ディスプレイ１４を有する第２表面領域１３が見えるということである。したがって、ここで第２表面領域１３については、基部３に対する向きが、図１の第１表面領域と同一である。表示部２が半回転したため、ここで第２境界側面は第２感知部１６に面している。第２表面領域１３上には、第１感知部１５がさらに設けられている。第１感知部１５は、本発明の第１の実施形態によれば延伸した感知部であり、基本的には、第２表面領域１３上で第４境界側面に沿って第１境界側面から第２境界側面へ向かってのびている。ここでは第２境界側面までずっとのびている。あるいはそこまでのびていなくてもよい。この場合、第１感知部と第２境界側面との間に小さな隔たりを設けることがある。しかしながら、第１感知部１４の延伸方向が第１境界側面および第２境界側面に垂直であるということが重要である。第２感知部１６が第１感知部１５と一直線上に並んでいるということも重要である。つまり、第１感知部１５が基部３の対面部に表示部２が基部３の対面部に面するように表示部２を動かすと、第１感知部１５が第２感知部１６を通り過ぎ、第２感知部１６に面することとなる。第１感知部１５と第２感知部１６との組合せは、ここでは方向感知構成である。さらに、第１感知部１５は直線に沿った感知能力を提供するためラインセンサと見なすことが可能であり、第２感知部はスポットあるいは限られた領域における感知能力を提供するものであってスポットセンサと見なすことができる。
【００４１】
感知部は、抵抗の変化、静電容量の変化、または磁束の変化を検出可能な材質でできているとすることが可能である。並進運動で、回転運動で、あるいはその２つを組み合わせて表示部を動かすと、２つの感知部が互いに近接または接触し、その間に抵抗の変化、静電容量の変化、磁束の変化が生じる。ここではこの変化を感知する。感知部は、単純な金属成分とすることができる。表示部が基部に対して、感知部が物理的に接触しているような位置にある場合、抵抗の低下が検出されることがある。感知部は光学的に動作するものとすることもできる。第２感知部は、集積フォトダイオードまたは集積カメラセンサと、例えば発光ダイオード（ＬＥＤ：ｌｉｇｈｔ  ｅｍｉｔｔｉｎｇ  ｄｉｏｄｅ）などの光源とを備えるものとすることができる。そうすると、光源からの光が第２感知部から放出され、表示部２によって反射され、フォトダイオードによって検出されるものとすることができる。このような実施形態では、第１感知部には、周囲の材質とは異なる屈折率をもつ材質を与えることで、異なる反射が生じるようにすることができる。このようにして、感知部が互いに通信可能であるかどうか判定することが可能である。
【００４２】
本発明の第１の実施形態によれば、第１延伸ラインセンサ１５は、第２表面領域５を越えて、第１境界側面上までのびている。これについては、後でより詳細に示すことにする。
【００４３】
上述のディスプレイは、映写方向が互いに反対であることが好ましい。以上では、第１表面領域上に収まったディスプレイおよび第２表面領域上に収まったディスプレイはサイズが同じであるとして示した。しかしながら、サイズが異なってもよいし、用いる表示技術が異なるものであってもよいということが理解されるべきである。
【００４４】
図６は、本発明の電子装置に設けられた多くの構成要素のブロック概略図を示している。方向感知構成１７は、したがって２つの感知部１５および１６を備えており、方向判定部１８に接続されている。方向判定部１８は、第１ディスプレイに関する構成要素に接続されるものであり、ここでは第１ディスプレイ６の駆動回路１９に接続されている。また、第２ディスプレイに関する構成要素にも接続されるものであり、ここでは第２ディスプレイ１４の駆動回路２０に接続されている。最終的に駆動回路１９、２０はディスプレイ６、１４に接続されている。ディスプレイに関する構成要素は、ディスプレイ上の情報提示などの機能を提供するために用いる回路とすることができるが、例えばフロントライト機能またはバックライト機能を提供する回路など、他の機能のために用いる他の回路とすることも可能である。
【００４５】
効果的に、以下で説明する方法にしたがって機能の選択を与えるコンピュータプログラムコードを含むメモリを伴ったプロセッサの形で、方向判定部を設けることができる。また、ＡＳＩＣ回路など、プログラムされた適切な回路として設けることも可能である。
【００４６】
方向感知構成をどのように設けるかに依存して、感知部の両方または一方が方向判定部１８と通信を行うものとすることができる。しかしながら、構成の視点からは、基部が固定されている間は表示部が可動であるため、第２感知部１６が方向判定部１８と通信を行うものであるほうが効果的である。
【００４７】
表示部において２つのディスプレイが設けられており、上述した程度に可動であるとすると、装置のユーザにとってはディスプレイの片方が見えなくなったり、適切に使用できなくなったりすることが多い。携帯用電子装置はしばしば電池式である。つまり、常に両方がオンであったり、使用されていたりすると、大きなエネルギーが浪費される。つまりは、電池を充電しない限り、所望するだけ長く使用することが不可能である場合があるということでもある。したがって、装置の使用における大きな自由をユーザに与えつつも、電子装置に、特に表示部に関連する機能の使用を制限することが重要である。したがって、電力節約のため、ディスプレイの選択的使用が可能であるべきである。また、基部に対するディスプレイの向きの決め方の選択以外をユーザが行わずとも、ディスプレイの選択的使用は機能することが可能であるべきである。
【００４８】
本発明は、かかるデュアルディスプレイを選択的に起動できる方法に対するものであり、この選択的使用は、基部に対する表示部の方向に基づいて自動的に提供される。
【００４９】
ここで、どの電子装置が起動可能であるかにしたがって、表示部に関する電子装置の機能を制御する方法を、前述の図５とともに、本発明によって行われる多くの方法ステップのフローチャートを示す図６に関連して説明することにする。
【００５０】
ステップ２１において方法が開始すると、方向感知構成１７は、感知部１５、１６が互いに通信可能であるか否かを感知する。ステップ２２において可能であるという場合は、ステップ２３において方向判定部１８へ指示が提供される。すると、ステップ２４において、方向判定部１８はここでは第１ディスプレイ６に関連した構成要素１９を起動し、またステップ２５において、第２ディスプレイ１４に関連した構成要素２０を停止させる。このように、構成要素１９が提供する機能を起動し、構成要素２０が提供する機能を停止させる。しかしながら、ステップ２２において感知部１５、１６が互いに通信できない場合、指示は何も提供されない。したがって、方向判定部１８は、ステップ２６において第２ディスプレイ１４に関連した構成要素２０を代わりに起動し、ステップ２７において第１ディスプレイ６に関連した構成要素１９を停止させる。このように、構成要素２０が提供する機能を起動し、構成要素１９が提供する機能を停止させる。
【００５１】
ここで、代替として、方向感知構成が２つの指示を提供するものであり、一方は感知部が互いに通信可能であることを示し、他方はそうではないことを示す、というようにすることも可能であると理解されるべきである。
【００５２】
図８ａ〜ｅは、本発明の第１の実施形態によって、基部に対する表示部の様々な向きを示している。図８ａ〜ｅに見られるように、第１感知部１５は、第２表面領域にわたって第２境界側面８からのびる第１部を有している。この第１部は第１境界側面７上でのびる第２部に接合するものであって、第１境界側面７は湾曲している。この第１の実施形態では、第２部は、第１表面領域と第２表面領域との間の中央線の直前の位置までのびている。本発明の変更例では、この中央線を越えてのびているものとすることも可能である。さらには、ちょうどこの中央線を末端としてもよい。また、見られるように、第１境界側面７も第２境界側面８も湾曲している。しかしながら、本発明の変更例によってはまっすぐなものとすることもある。
【００５３】
図８ａにおいて、表示部２は基部３に対して傾けられており、第２表面領域には延伸した第１感知部１５があり、基部３の対面部４とおよそ１２０度をなす。ここで、第２境界側面８は基部３の対面部４と第２感知部１６で接触している。また、ここで、前述のタップによって定められた回転軸を設ける。図８ａに見られるように、２つの感知部１５、１６間に接触はなく、そのため互いに通信することができない。つまり、第２表面領域上に設けられた第２ディスプレイが起動し、第１表面領域５上の第１ディスプレイは停止される。そして、表示部２は、例えば基部３の対面部４に向かって回転軸周りを回転することができる。このことを図８ｂに示しており、延伸した第１感知部１５をもつ第２表面領域が基部３の対面部とおよそ４５度の角度をなしている。この場合は、感知部が互いに通信を開始することが可能であろう。つまり、図８ｂでは、起動するディスプレイの切り替えが起きる。したがって、ここでは、第１表面領域５上の第１ディスプレイが起動され、第２表面領域上の第２ディスプレイが停止される。図８ｃは、第２表面領域がここで基部３の対面部に接触するように、どのように表示部２が上記回転軸周りを回転したかを示している。ここで、２つの感知部１５、１６間に連続的接触があるため、第１ディスプレイは起動したままで、第２ディスプレイは停止したままである。そして図８ｄは、表面部２の第１境界側面７が第２感知部１６および上述のタップに近づくように、どのように表示部２が左へスライドしたかを示している。ただし起動ディスプレイに変更はない。最後に図８ｅは、第１表面領域５と基部３の対面部４との間の角度がおよそ１３５度となるまで、どのように表示部２がタップによって定められた回転軸を上方へ回転するかを示している。見られるように、第１感知部１５が第１境界側面７上までのびており、第２感知部１６と接触しているため、依然として２つの感知部１５、１６間には接触がある。これにより、第１ディスプレイを「ラップトップモード」のアクティブディスプレイとすることができる。第１表面領域５が対面部４に近づくように、ここで表示部２をさらに回転させると、感知部１５、１６間の接触が途絶え、起動ディスプレイのスイッチングが再び行われる。
【００５４】
このようにして、基部に対する表示部の向きに基づいて様々なディスプレイが起動されるということが保証される。第１感知部を第１境界側面上までのばして設けることで、さらに、ラップトップモードを提供することが可能である。この第１境界側面上どこまでのばすか変更することで、さらに、ラップトップモードが適応しなくなる角度を定めることが可能である。
【００５５】
本発明は、とりわけエネルギーを節約し、その上、装置使用について大きな自由をユーザに与えるための、電子装置に、特に表示部に関連した機能の使用を制御する。また、基部に対する表示部の向きの選択以外にユーザが何もせずとも、かかる制御は行われる。また、本発明は、有用性を犠牲にせずに電子装置のコンパクトな設計も可能とする。
【００５６】
ここで本発明の第２の実施形態について、代替電子装置の透視図を示す図９に関連して説明することにする。この実施形態において、延伸したラインセンサは第２感知部１６’であり、第１感知部１５’は第１境界側面と第４境界側面との間の角に設けられたスポットセンサである。ここでスポットセンサ１５’には第２表面領域１３が設けられており、「ラップトップモード」を提供するために第１境界側面上までのびている。このようにして、第１の実施形態と同一の機能を本質的に提供することを可能としている。
【００５７】
図１０に示す本発明の第３の実施形態によれば、第１感知部１５’’がここでも延伸したラインセンサであり、第２感知部１６がスポットセンサである。しかしながら、この実施形態では、第１感知部１５’’はセンサアレイであり、多くの小さな独立センサがある。このようにして、このような小さなセンサのうちどれがスポットセンサ１６と接触しているか検出することが可能である。また、このようにして、何の機能を起動して何の機能を停止するか、よりよい判定を下すために、延伸の方向おいて、基部に対する表示部２の位置の指示を得ることが可能である。
【００５８】
上述したもの以外にも、本発明を実施可能な多くの変更例がある。例えば、本発明はラップトップコンピュータの形態の携帯用電子装置について説明した。しかしながら、本発明は、携帯情報端末（ＰＤＡ）、ゲーム機械、携帯用ＤＶＤプレーヤおよびレコーダなどの携帯用電子装置に応用することも可能である。携帯電話などの携帯用通信装置に設けることも可能であり、かかる携帯電話は、クラムシェル型に基づく電話、拡張クラムシェル型電話であることが効果的なことがある。
【００５９】
第１感知部は、以上では第１境界側面上までのびているものとして説明した。本発明の代替では、そのようにせず、第２表面領域上に設けるだけとすることもできる。さらに代替として、第１境界側面上までのびているのに加えて、第２境界側面上までものびているものとすることもできる。第２の実施形態であれば、この場合は２つの感知部が表示部上に設けられるものとすることができる。
【００６０】
また、制御する構成要素は、必ずしもディスプレイに関連した構成要素に限られない。他の構成要素としては、キーパッド特徴またはキーパッドボタンをハイライトするような機能を提供する発光手段が含まれる。図１に示すような電子装置において、キーパッドのボタンは、表示部の相対位置に応じて割当値を変えることも可能である。同様に、表示部の相対位置に応じて、ソフトウェアアプリケーションやオペレーティングシステムのような機能を起動または停止することも可能である。
【００６１】
キーボードやキーパッドは本発明の核心部分ではなく、実際、タッチスクリーンの形態を与えることで、ディスプレイ自体を上記のようなユーザ入力部として機能させることも可能である。
【００６２】
上述の実施形態は本発明を限定するものではなく、むしろ説明したものであり、当業者であれば、添付の特許請求の範囲から逸脱することなく、多くの代替実施形態を設計可能であろう。「ｃｏｍｐｒｉｓｉｎｇ」という言葉は、請求項に挙げたもの以外のエレメントまたはステップの存在を除外するものではなく、「ａ」や「ａｎ」は複数を除外するものではない。また、単一のプロセッサまたは他部が、特許請求の範囲に記載するいくつかの部の機能を果たす場合もある。特許請求の範囲における参照符号は、その範囲を限定すると考慮されるべきものではない。したがって、本発明は、添付の特許請求の範囲によってのみ、限定される。
【図１】
2011503933.tif 000003
【図２】
2011503933.tif 000004
【図３】
2011503933.tif 000005
【図４】
2011503933.tif 000006
【図５】
2011503933.tif 000007
【図６】
2011503933.tif 000008
【図７】
2011503933.tif 000009
【図８ａ】
2011503933.tif 000010
【図８ｂ】
2011503933.tif 000011
【図８ｃ】
2011503933.tif 000012
【図８ｄ】
2011503933.tif 000013
【図８ｅ】
2011503933.tif 000014
【図９】
2011503933.tif 000015
【図１０】
2011503933.tif 000016
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
電子装置（１）であって、
基部（３）と、
第１境界側面および反対の第２境界側面（７、８）によって互いに接合する第１表面領域（５）と第２表面領域（１３）とを備え、前記基部（３）に対して留められており、前記基部（３）に対して可動な表示部（２）と、
前記表示部（２）に設けられた第１感知部（１５、１５’、１５’’）と、前記基部（３）に設けられた第２感知部（１６、１６’）とを備え、前記感知部が互いに通信可能であることを検出し、この通信を指示する方向感知構成（１７）と、
前記方向感知構成（１７）から受け取った指示に基づいて前記電子装置（１）の選択した機能（１９）を起動する方向判定部（１８）と
を備え、
前記表示部（２）は、前記基部（３）に対して回転可能およびスライド可能であり、
前記第１感知部（１５、１５’、１５’’）は、少なくとも部分的に前記第２表面領域（１３）に設けられ、
前記感知部のうち１つは、延伸した感知部であり、他の前記感知部はスポット感知部であり、
前記方向感知構成（１７）は、さらに、延伸方向における前記第１感知部（１５、１５’、１５’’）の位置を検出して指示するものであり、前記第１感知部と前記第２感知部との間の通信に用いられ、
前記方向判定部（１８）は、さらに、前記位置にも基づいて、前記表示部（２）に関する前記電子装置（１）の選択した機能を起動すること
を特徴とする電子装置（１）。
【請求項２】
前記第１感知部（１５、１５’、１５’’）は、部分的に前記第１境界側面（７）の一部に設けられる、請求項１に記載の電子装置（１）。
【請求項３】
前記第１感知部（１５）は、前記第１境界側面の前記第１表面領域と前記第２表面領域との間の中央線の直前の位置までのびている、請求項２に記載の電子装置（１）。
【請求項４】
前記第１感知部（１５）は、前記第１境界側面の前記第１表面領域と前記第２表面領域との間の中央線を超えてのびている、請求項３に記載の電子装置（１）。
【請求項５】
少なくとも前記第１の境界面は湾曲している、請求項１〜４のいずれか１項に記載の電子装置（１）。
【請求項６】
前記第１感知部は延伸した感知部である、請求項１〜５に記載の電子装置（１）。
【請求項７】
前記第２表面領域に設けられた前記第１感知部の一部が、前記第１境界側面から前記第２境界側面へ向かってのびている、請求項６に記載の電子装置（１）。
【請求項８】
前記第２表面領域に設けられた前記第１感知部の一部が、前記第２境界側面までのびている、請求項７に記載の電子装置（１）。
【請求項９】
前記第１感知部は、前記第２境界側面の少なくとも一部にも設けられる、請求項８に記載の電子装置（１）。
【請求項１０】
前記第２表面領域に設けられた前記第１感知部の一部と前記第２境界側面との間に隔たりがある、請求項７に記載の電子装置（１）。
【請求項１１】
前記表示部（２）は、前記第１表面領域（５）に第１ディスプレイ（６）と、前記第２表面領域（１３）に第２ディスプレイ（１４）とを備える、請求項１〜１０のいずれか１項に記載の電子装置（１）。
【請求項１２】
前記方向判定部（１８）は、前記第１感知部と前記第２感知部とが互いに通信可能であるという指示を前記方向感知構成から受け取ったら、前記第１ディスプレイに関連した機能を起動し、そうでない場合は、前記第２ディスプレイに関連した機能を起動する、請求項１１に記載の電子装置（１）。
【請求項１３】
前記方向判定部（１８）は、前記第１感知部と前記第２感知部とが互いに通信可能であるという指示を受け取ると、前記第２ディスプレイに関連した機能を停止し、そうでない場合は、前記第１ディスプレイに関連した機能を停止する、請求項１２に記載の電子装置（１）。
【請求項１４】
前記方向感知構成における前記感知部のうち少なくとも１つは部分的に導電性であり、前記構成は、前記感知部が互いに通信可能であることを検出すると、前記感知部間の関係における抵抗の変化、静電容量の変化、またはインダクタンスの変化を感知することによって、前記通信を検出する、請求項１〜１３のいずれか１項に記載の電子装置（１）。
【請求項１５】
方向感知構成における前記感知部のうち少なくとも１つは周辺と異なる屈折率を有し、他は光学検出器であり、前記構成は、前記光学検出器で屈折率の変化を検出することで、前記感知部が互いに通信可能であることを検出する、請求項１〜１３のいずれか１項に記載の電子装置（１）。
【請求項１６】
前記方向感知構成における前記感知部の少なくとも１つは部分的に磁気的であり、前記構成は、前記感知部が互いに通信可能であることを検出すると、前記感知部の１つによって生じる磁束変化を検出する、請求項１〜１３のいずれか１項に記載の電子装置（１）。
【請求項１７】
前記電子装置は携帯用電子装置である、請求項１〜１６のいずれか１項に記載の電子装置（１）。
【請求項１８】
前記携帯用電子装置は携帯用通信装置である、請求項１７に記載の電子装置（１）。
【請求項１９】
表示部（２）に関する電子装置（１）の機能を制御する方法であって、前記表示部（２）は、第１境界側面および反対の第２境界側面（７、８）によって互いに接合する第１表面領域（５）と第２表面領域（１３）とを備え、前記電子装置の基部（３）に対して留められており、前記基部（３）に対して回転可能的およびスライド可能的に可動であって、
前記表示部（２）に設けられた第１感知部（１５、１５’、１５’’）と前記基部（３）に設けられた第２感知部（１６、１６’）とが互いに通信可能であることを検出するステップ（２２）と、
前記通信に対する指示を提供するステップ（２３）と、
前記指示に基づいて前記電子装置（１）の選択した機能（１９）を起動するステップ（２４）と
を含み、
前記第１感知部（１５、１５’、１５’’）は少なくとも部分的に前記第２表面領域（１３）に設けられ、前記感知部のうち１つは延伸した感知部であり、他方の感知部はスポット感知部であり、
前記検出するステップは、前記第１感知部と前記第２感知部との間の通信に用いられる前記延伸した感知部の位置を検出することを含み、
前記指示のステップは前記位置を指示することも含み、
前記起動するステップは、前記位置にも基づいて前記電子装置（１）の選択した機能を起動することを含む、方法。
【請求項２０】
前記第１感知部（１５、１５’、１５’’）は少なくとも部分的に前記第２表面領域（１３）に設けられ、前記感知部のうち１つは延伸した感知部であり、他方の感知部はスポット感知部であり、前記検出するステップは、前記第１感知部と前記第２感知部との間の通信に用いられる前記延伸した感知部の位置を検出することを含み、前記指示のステップは前記位置を指示することも含み、前記起動するステップは、前記位置にも基づいて前記電子装置（１）の選択した機能を起動することを含む、請求項１９に記載の方法。
【請求項２１】
前記第１表面領域（５）は第１ディスプレイ（６）を備え、前記第２表面領域（１３）は第２ディスプレイ（１４）を備え、前記起動するステップは、前記感知部が互いに通信可能である場合、前記第１ディスプレイに関連した機能を起動（２４）し、そうでない場合、前記第２ディスプレイに関連した機能を起動（２６）することを含む、請求項１９または２０に記載の方法。
【請求項２２】
前記感知部が互いに通信可能である場合、前記第２ディスプレイに関連した機能を停止（２５）し、そうでない場合、前記第１ディスプレイに関連した機能を停止（２７）するステップをさらに含む、請求項２１に記載の方法。
【手続補正書】
【提出日】平成22年4月15日(2010.4.15)
【手続補正１】
【補正対象書類名】特許請求の範囲
【補正対象項目名】全文
【補正方法】変更
【補正の内容】
【特許請求の範囲】
【請求項１】
電子装置（１）であって、
基部（３）と、
第１境界側面および反対の第２境界側面（７、８）によって互いに接合する第１表面領域（５）と第２表面領域（１３）とを備え、前記基部（３）に対して留められており、前記基部（３）に対して可動な表示部（２）と、
前記表示部（２）に設けられた第１感知部（１５、１５’、１５’’）と、前記基部（３）に設けられた第２感知部（１６、１６’）とを備え、前記感知部が互いに通信可能であることを検出し、この通信を指示する方向感知構成（１７）と、
前記方向感知構成（１７）から受け取った指示に基づいて前記電子装置（１）の選択した機能（１９）を起動する方向判定部（１８）と
を備え、
前記表示部（２）は、前記基部（３）に対して回転可能およびスライド可能であり、
前記第１感知部（１５、１５’、１５’’）は、少なくとも部分的に前記第２表面領域（１３）に設けられ、
前記感知部のうち１つは、延伸した感知部であり、他の前記感知部はスポット感知部であり、
前記方向感知構成（１７）は、さらに、延伸方向における前記第１感知部（１５、１５’、１５’’）の位置を検出して指示するものであり、前記第１感知部と前記第２感知部との間の通信に用いられ、
前記方向判定部（１８）は、さらに、前記位置にも基づいて、前記表示部（２）に関する前記電子装置（１）の選択した機能を起動すること
を特徴とする電子装置（１）。
【請求項２】
前記第１感知部（１５、１５’、１５’’）は、部分的に前記第１境界側面（７）の一部に設けられる、請求項１に記載の電子装置（１）。
【請求項３】
前記第１感知部（１５）は、前記第１境界側面の前記第１表面領域と前記第２表面領域との間の中央線の直前の位置までのびている、請求項２に記載の電子装置（１）。
【請求項４】
前記第１感知部（１５）は、前記第１境界側面の前記第１表面領域と前記第２表面領域との間の中央線を超えてのびている、請求項３に記載の電子装置（１）。
【請求項５】
少なくとも前記第１の境界面は湾曲している、請求項１〜４のいずれか１項に記載の電子装置（１）。
【請求項６】
前記第１感知部は延伸した感知部である、請求項１〜５に記載の電子装置（１）。
【請求項７】
前記第２表面領域に設けられた前記第１感知部の一部が、前記第１境界側面から前記第２境界側面へ向かってのびている、請求項６に記載の電子装置（１）。
【請求項８】
前記第２表面領域に設けられた前記第１感知部の一部が、前記第２境界側面までのびている、請求項７に記載の電子装置（１）。
【請求項９】
前記第１感知部は、前記第２境界側面の少なくとも一部にも設けられる、請求項８に記載の電子装置（１）。
【請求項１０】
前記第２表面領域に設けられた前記第１感知部の一部と前記第２境界側面との間に隔たりがある、請求項７に記載の電子装置（１）。
【請求項１１】
前記表示部（２）は、前記第１表面領域（５）に第１ディスプレイ（６）と、前記第２表面領域（１３）に第２ディスプレイ（１４）とを備える、請求項１〜１０のいずれか１項に記載の電子装置（１）。
【請求項１２】
前記方向判定部（１８）は、前記第１感知部と前記第２感知部とが互いに通信可能であるという指示を前記方向感知構成から受け取ったら、前記第１ディスプレイに関連した機能を起動し、そうでない場合は、前記第２ディスプレイに関連した機能を起動する、請求項１１に記載の電子装置（１）。
【請求項１３】
前記方向判定部（１８）は、前記第１感知部と前記第２感知部とが互いに通信可能であるという指示を受け取ると、前記第２ディスプレイに関連した機能を停止し、そうでない場合は、前記第１ディスプレイに関連した機能を停止する、請求項１２に記載の電子装置（１）。
【請求項１４】
前記方向感知構成における前記感知部のうち少なくとも１つは部分的に導電性であり、前記構成は、前記感知部が互いに通信可能であることを検出すると、前記感知部間の関係における抵抗の変化、静電容量の変化、またはインダクタンスの変化を感知することによって、前記通信を検出する、請求項１〜１３のいずれか１項に記載の電子装置（１）。
【請求項１５】
方向感知構成における前記感知部のうち少なくとも１つは周辺と異なる屈折率を有し、他は光学検出器であり、前記構成は、前記光学検出器で屈折率の変化を検出することで、前記感知部が互いに通信可能であることを検出する、請求項１〜１３のいずれか１項に記載の電子装置（１）。
【請求項１６】
前記方向感知構成における前記感知部の少なくとも１つは部分的に磁気的であり、前記構成は、前記感知部が互いに通信可能であることを検出すると、前記感知部の１つによって生じる磁束変化を検出する、請求項１〜１３のいずれか１項に記載の電子装置（１）。
【請求項１７】
前記電子装置は携帯用電子装置である、請求項１〜１６のいずれか１項に記載の電子装置（１）。
【請求項１８】
前記携帯用電子装置は携帯用通信装置である、請求項１７に記載の電子装置（１）。
【請求項１９】
表示部（２）に関する電子装置（１）の機能を制御する方法であって、前記表示部（２）は、第１境界側面および反対の第２境界側面（７、８）によって互いに接合する第１表面領域（５）と第２表面領域（１３）とを備え、前記電子装置の基部（３）に対して留められており、前記基部（３）に対して回転可能的およびスライド可能的に可動であって、
前記表示部（２）に設けられた第１感知部（１５、１５’、１５’’）と前記基部（３）に設けられた第２感知部（１６、１６’）とが互いに通信可能であることを検出するステップ（２２）と、
前記通信に対する指示を提供するステップ（２３）と、
前記指示に基づいて前記電子装置（１）の選択した機能（１９）を起動するステップ（２４）と
を含み、
前記第１感知部（１５、１５’、１５’’）は少なくとも部分的に前記第２表面領域（１３）に設けられ、前記感知部のうち１つは延伸した感知部であり、他方の感知部はスポット感知部であり、
前記検出するステップは、前記第１感知部と前記第２感知部との間の通信に用いられる前記延伸した感知部の位置を検出することを含み、
前記指示のステップは前記位置を指示することも含み、
前記起動するステップは、前記位置にも基づいて前記電子装置（１）の選択した機能を起動することを含む、方法。
【請求項２０】
前記第１表面領域（５）は第１ディスプレイ（６）を備え、前記第２表面領域（１３）は第２ディスプレイ（１４）を備え、前記起動するステップは、前記感知部が互いに通信可能である場合、前記第１ディスプレイに関連した機能を起動（２４）し、そうでない場合、前記第２ディスプレイに関連した機能を起動（２６）することを含む、請求項１９に記載の方法。
【請求項２１】
前記感知部が互いに通信可能である場合、前記第２ディスプレイに関連した機能を停止（２５）し、そうでない場合、前記第１ディスプレイに関連した機能を停止（２７）するステップをさらに含む、請求項２０に記載の方法。
【国際調査報告】
2011503933.tif 000017
2011503933.tif 000018